(57)【要約】【課題】  消費電力の削減、データ転送速度の向上、歩留まりの向上を図りつつ、異なる画像を表示可能にした移動体の表示モジュールを提供すること。【解決手段】  移動体の表示モジュール１では、異なる画像を表示する３つの有機ＥＬパネル２，３，４が一つのベースプレート５に並べて取り付けられている。３つの有機ＥＬパネル２〜４のうち隣合うパネルは、表示エリア１４の周囲の非表示エリア１５が平面的に重なるように配置されている。真中の有機ＥＬパネル２を左右の有機ＥＬパネル３，４よりも上方へずらして配置されている。３つの有機ＥＬパネル２，３，４により異なる画像を表示するので、各パネルの無駄な消費電力が小さくなり、データ転送速度が速くなる。また、各有機ＥＬパネル２，３，４の歩留まりが向上する。【選択図】      図１
2006224697.tif 000002
【特許請求の範囲】
【請求項１】
異なる画像を表示する複数のエレクトロルミネッセンスパネルをパネル支持部材に並べて取り付けたことを特徴とする移動体の表示モジュール。
【請求項２】
請求項１に記載の移動体の表示モジュールにおいて、
前記複数のエレクトロルミネッセンスパネルのうち隣合うパネルは、エレクトロルミネッセンス素子をそれぞれ有する複数の画素が二次元に配置された表示エリアの周囲の非表示エリアが平面的に重なるように配置されていることを特徴とする移動体の表示モジュール。
【請求項３】
請求項２に記載の移動体の表示モジュールにおいて、
前記複数のエレクトロルミネッセンスパネルは３つ以上であって、中央のエレクトロルミネッセンスパネルを左右のエレクトロルミネッセンスパネルよりも上方へずらして配置されていることを特徴とする移動体の表示モジュール。
【請求項４】
請求項３に記載の移動体の表示モジュールにおいて、
前記複数のエレクトロルミネッセンスパネルはそれぞれ縦長の形状を有し、中央のエレクトロルミネッセンスパネルを横向きにして左右のエレクトロルミネッセンスパネルを縦向きにして配置されていることを特徴とする移動体の表示モジュール。
【請求項５】
請求項１〜４のいずれか一つに記載の移動体の表示モジュールにおいて、
前記パネル支持部材は、移動体のインストルメントパネルに取り付けられるベースプレートであることを特徴とする移動体の表示モジュール。
【請求項６】
請求項５に記載の移動体の表示モジュールにおいて、
前記ベースプレートは、前記複数のエレクトロルミネッセンスパネルが固定されるパネル取り付け面が平坦なプレートであり、前記複数のエレクトロルミネッセンスパネルは、該各エレクトロルミネッセンスパネルの裏面側に固定された取り付けベースを介して前記パネル取り付け面に固定されることを特徴とする移動体の表示モジュール。
【請求項７】
請求項５に記載の移動体の表示モジュールにおいて、
前記ベースプレートは、前記複数のエレクトロルミネッセンスパネルの各裏面側がそれぞれ固定される高さの異なる複数のパネル取り付け面を有するプレートであることを特徴とする移動体の表示モジュール。
【請求項８】
請求項１〜４のいずれか一つに記載の移動体の表示モジュールにおいて、
前記パネル支持部材は、前記複数のエレクトロルミネッセンスパネルの表面側に取り付けられるパネルカバーであり、該パネルカバーは、前記複数のエレクトロルミネッセンスパネルの各表面側がそれぞれ固定される高さの異なる複数のパネル取り付け面を有することを特徴とする移動体の表示モジュール。
【請求項９】
請求項１〜８のいずれか一つに記載の移動体の表示モジュールにおいて、
前記複数のエレクトロルミネッセンスパネルは、エレクトロルミネッセンス素子をそれぞれ有する複数の画素が形成された発光素子基板と、前記複数の画素を密封するように前記発光素子基板に固定された封止基板とをそれぞれ備え、前記発光素子基板と該発光素子基板より小さい前記封止基板との間の段差により前記封止基板の周囲にできる隙間を利用して、前記複数のエレクトロルミネッセンスパネルは、隣合うパネルの非表示エリア同士が重なるように配置されていることを特徴とする移動体の表示モジュール。
【請求項１０】
請求項９に記載の移動体の表示モジュールにおいて、
前記複数のエレクトロルミネッセンスパネルは、パネル外形の縦横比と、前記複数の画素が二次元に配置された表示エリアの縦横比とがそれぞれ異なり、前記表示エリアの周囲に幅の広い非表示エリアと幅の狭い非表示エリアとを有するパネルであり、前記複数のエレクトロルミネッセンスパネルの前記幅の広い非表示エリアに、外部回路と電気的に接続される電極がそれぞれ設けられていることを特徴とする移動体の表示モジュール。
【請求項１１】
請求項１０に記載の移動体の表示モジュールにおいて、
前記複数のエレクトロルミネッセンスパネルは、隣合うパネルの前記幅の狭い非表示エリア同士が重なるように配置されていることを特徴とする移動体の表示モジュール。
【請求項１２】
請求項１〜１１のいずれか一つに記載の移動体の表示モジュールにおいて、
前記パネル支持部材は、前記複数のエレクトロルミネッセンスパネルに追加して１或いは複数のエレクトロルミネッセンスパネルを取り付けるための予備のスペースを有することを特徴とする移動体の表示モジュール。
【発明の詳細な説明】
【技術分野】
【０００１】
本発明は、自動車等の車両、航空機、船舶、電車等の移動体に搭載され、移動体の速度、エンジン回転数、ナビゲーション装置の地図情報等を表示する移動体の表示モジュールに関する。
【背景技術】
【０００２】
従来、自動車等の車両のインストルメントパネルに搭載される車両用情報表示装置として、液晶ディスプレイ装置によって構成される一つの画面（マルチディスプレイ装置）内に、複数の表示をさせるようにしたものが知られている（特許文献１参照）。このような車両用情報表示装置では、例えば図１８に示すように、一つの液晶パネル２００を使っている。この液晶パネル２００内に、速度を表示するスピードメータとしての第１の表示部２０１と、エンジン回転数を表示するタコメータとしての第２の表示部２０２と、カーナビゲーション装置の地図情報等を表示する第３の表示部２０３とにより、３種類の表示を行うようになっている。図１８で、符号２００ａは液晶パネル２００の表示エリアを、符号２００ｂはその非表示エリアをそれぞれ示している。図１８は、従来の車両用情報表示装置による実際の表示の様子を示す説明図。また、図１９では、その車両用情報表示装置において液晶パネル２００の表示エリア２００ａのうち実際の表示に使用している３つの表示部２０４〜２０６を斜線で示してある。
【特許文献１】特開２００４−２９１７３１号公報
【発明の開示】
【発明が解決しようとする課題】
【０００３】
ところで、上記特許文献１に記載されているような従来の車両用情報表示装置では、一つの液晶パネル２００内に複数の表示をさせる構成であるため、以下のような問題点があった。
【０００４】
・一つの液晶パネル２００の表示エリア２００ａのうち実際の表示に使用している使用エリアは、図１９に示す３つの表示部２０４〜２０６であり、その表示エリア２００ａの４４％程度である。このように、液晶パネル２００の表示エリア２００ａの一部（４４％程度）しか使っていないのに、表示エリア２００ａの未使用エリアに対しても駆動回路は働き、その未使用エリアを含めて表示エリア２００ａ全体を走査している。そのため、パネルの無駄な消費電力が大きいとともに、データ転送速度が遅くなってしまう。また、有効利用画素数の割合が小さい。
【０００５】
・液晶パネル２００が大きいので、歩留まりが悪い。これは、一つの液晶パネル２００が大きいので、この液晶パネルを一つの大きなパネルから複数個取りする場合、複数個取りする個々のパネル内に画素の欠陥が発生する確率が高くなり、一つの大きなパネルから取れるパネル数が少なくなるからである。
【０００６】
本発明は、このような従来の問題点に着目してなされたもので、その目的は、消費電力の削減、データ転送速度の向上、歩留まりの向上を図りつつ、異なる画像を表示可能にした移動体の表示モジュールを提供することにある。
【課題を解決するための手段】
【０００７】
本発明における移動体の表示モジュールは、異なる画像を表示する複数のエレクトロルミネッセンスパネルをパネル支持部材に並べて取り付けたことを要旨とする。
これによれば、複数のエレクトロルミネッセンスパネルの各々により異なる表示態様の
画像を同時に表示できる。例えば、自動車等の車両のインストルメントパネルに搭載する場合、スピードメータ、タコメータ、テレビの映像、カーナビゲーション装置の地図情報等の異なる画像を、複数のエレクトロルミネッセンスパネルにより同時に表示できる。また、パネル支持部材に並べて取り付けた複数のエレクトロルミネッセンスパネルにより異なる画像を表示することで、表示エリアに対する未使用エリアの割合が少なくなるので、各パネルの無駄な消費電力が小さくなるとともに、データ転送速度が速くなる。また、有効利用画素数の割合が大きくなる。また、エレクトロルミネッセンスパネルの歩留まりが向上する。これは、上記従来技術の一つの液晶パネルで複数の表示をさせる場合と比べて、各エレクトロルミネッセンスパネルのサイズが小さくなるので、各エレクトロルミネッセンスパネルを一つの大きなパネルから複数個取りする場合、複数個取りする個々のパネル内に画素の欠陥が発生する確率が低くなり、一つの大きなパネルから取れるパネル数が多くなるからである。さらに、エレクトロルミネッセンスパネルであるため、コントラストが高く、視認性の良い表示が可能となる。したがって、消費電力の削減、データ転送速度の向上、歩留まりの向上を図りつつ、異なる画像を表示可能が移動体の表示モジュールを実現することができる。
【０００８】
この移動体の表示モジュールにおいて、前記複数のエレクトロルミネッセンスパネルのうち隣合うパネルは、エレクトロルミネッセンス素子をそれぞれ有する複数の画素が二次元に配置された表示エリアの周囲の非表示エリアが平面的に重なるように配置されていることを要旨とする。これによれば、隣合うパネルの表示エリア（アクティブエリア）を近づけることができる。これにより、複数のエレクトロルミネッセンスパネルを見る場合の視認性が向上する。特に、移動体として自動車等の車両のインストルメントパネルに実装し、隣合うパネルの表示エリアでスピードメータとタコメータをそれぞれ表示する場合、スピードメータの表示領域とタコメータの表示領域を視認性を考慮して最適な間隔に配置することができる。また、移動体の表示モジュール全体のサイズ、特に複数のエレクトロルミネッセンスパネルの並び方向のサイズが小さくなるので、狭い取り付けスペースへの取り付けが可能になる。
【０００９】
この移動体の表示モジュールにおいて、前記複数のエレクトロルミネッセンスパネルは３つ以上であって、中央のエレクトロルミネッセンスパネルを左右のエレクトロルミネッセンスパネルよりも上方へずらして配置されていることを要旨とする。これによれば、複数のエレクトロルミネッセンスパネルのうち中央のパネルにより、重要な画像、例えば自動車等の車両でスピードメータを表示させる場合、スピードメータの視認性が向上する。ここで、「中央のエレクトロルミネッセンスパネル」とは、複数のエレクトロルミネッセンスパネルが３以上の奇数の場合には真中のパネルをいう。
【００１０】
この移動体の表示モジュールにおいて、前記複数のエレクトロルミネッセンスパネルはそれぞれ縦長の形状を有し、中央のエレクトロルミネッセンスパネルを横向きにして左右のエレクトロルミネッセンスパネルを縦向きにして配置されていることを要旨とする。これによれば、表示モジュールの高さ方向（上下方向）の取り付け寸法が小さくなるので、移動体のインストルメントパネル等に搭載する場合、高さ方向の寸法に制約のある移動体のインストルメントパネルへの取り付けが容易になる。
【００１１】
この移動体の表示モジュールにおいて、前記パネル支持部材は、移動体のインストルメントパネルに取り付けられるベースプレートであることを要旨とする。これによれば、複数のエレクトロルミネッセンスパネルが固定されたベースプレートを移動体のインストルメントパネルに取り付けることで、移動体への実装が容易になる。
【００１２】
この移動体の表示モジュールにおいて、前記ベースプレートは、前記複数のエレクトロルミネッセンスパネルが固定されるパネル取り付け面が平坦なプレートであり、前記複数
のエレクトロルミネッセンスパネルは、該各エレクトロルミネッセンスパネルの裏面側に固定された取り付けベースを介して前記パネル取り付け面に固定されることを要旨とする。これによれば、各パネルの取り付けベースの厚さのみを異ならせることで、各パネルのパネル取り付け面からの高さ位置を変えることができる。例えば、エレクトロルミネッセンスパネルが３つの場合、真中のパネルの取り付けベースの厚さを左右のパネルの取り付けベースよりも厚くすることで、隣合うパネルの非表示エリア（いわゆる額縁部）が平面的に重なるような配置が可能となる。ここで、「エレクトロルミネッセンスパネルの裏面」とは、エレクトロルミネッセンス素子からの光が出射する面とは反対側の面をいう。
【００１３】
この移動体の表示モジュールにおいて、前記ベースプレートは、前記複数のエレクトロルミネッセンスパネルの各裏面側がそれぞれ固定される複数のパネル取り付け面を有するプレートであることを要旨とする。これによれば、ベースプレートの複数のパネル取り付け面の高さを異ならせることで、複数のエレクトロルミネッセンスパネルの隣合うパネルの非表示エリアが平面的に重なるような配置が可能となる。例えば、エレクトロルミネッセンスパネルが３つの場合、ベースプレートの真中のパネル取り付け面の高さを左右のパネル取り付け面よりも高くすることで、真中のパネルの非表示エリアと左右のパネルの非表示エリアが平面的に重なるような配置が可能となる。
【００１４】
この移動体の表示モジュールにおいて、前記パネル支持部材は、前記複数のエレクトロルミネッセンスパネルの表面側に取り付けられるパネルカバーであり、該パネルカバーは、前記複数のエレクトロルミネッセンスパネルの各表面側がそれぞれ固定される高さの異なる複数のパネル取り付け面を有することを要旨とする。これによれば、複数のエレクトロルミネッセンスパネルの各表面側をパネルカバーの高さの異なる複数のパネル取り付け面に固定することで、複数のエレクトロルミネッセンスパネルの隣合うパネルの非表示エリアが平面的に重なるような配置が可能となる。例えば、エレクトロルミネッセンスパネルが３つの場合、パネルカバーの真中のパネル取り付け面の高さを左右のパネル取り付け面よりも低くすることで、真中のパネルの非表示エリアと左右のパネルの非表示エリアが平面的に重なるような配置が可能となる。ここで、「エレクトロルミネッセンスパネルの表面」とは、エレクトロルミネッセンス素子からの光が出射する側の面をいう。
【００１５】
この移動体の表示モジュールにおいて、前記複数のエレクトロルミネッセンスパネルは、エレクトロルミネッセンス素子をそれぞれ有する複数の画素が形成された発光素子基板と、前記複数の画素を密封するように前記発光素子基板に固定された封止基板とをそれぞれ備え、前記発光素子基板と該発光素子基板より小さい前記封止基板との間の段差により前記封止基板の周囲にできる隙間を利用して、前記複数のエレクトロルミネッセンスパネルは、隣合うパネルの非表示エリア同士が重なるように配置されていることを要旨とする。これによれば、複数のエレクトロルミネッセンスパネル全体の厚さを薄くすることができる。
【００１６】
この移動体の表示モジュールにおいて、前記複数のエレクトロルミネッセンスパネルは、パネル外形の縦横比と、前記複数の画素が二次元に配置された表示エリアの縦横比とがそれぞれ異なり、前記表示エリアの周囲に幅の広い非表示エリアと幅の狭い非表示エリアとを有するパネルであり、前記複数のエレクトロルミネッセンスパネルの前記幅の広い非表示エリアに、外部回路と電気的に接続される電極がそれぞれ設けられていることを要旨とする。これによれば、複数のエレクトロルミネッセンスパネル各々の幅の広い非表示エリアに、その幅の広いスペースを利用して電極を設けることができる。
【００１７】
この移動体の表示モジュールにおいて、前記複数のエレクトロルミネッセンスパネルは、隣合うパネルの前記幅の狭い非表示エリア同士が重なるように配置されていることを要旨とする。これによれば、複数のエレクトロルミネッセンスパネル各々の電極はパネルの
下側或いは上側に位置するので、各エレクトロルミネッセンスパネルの電極に、外部回路からの各種信号を入力する配線や接続ケーブルを接続する作業が容易になる。
【００１８】
この移動体の表示モジュールにおいて、前記パネル支持部材は、前記複数のエレクトロルミネッセンスパネルに追加して１或いは複数のエレクトロルミネッセンスパネルを取り付けるための予備のスペースを有することを要旨とする。これによれば、自動車等の車両のインストルメントパネルに実装する場合、インストルメントパネルのデザイン変更、表示機能の追加等をユーザ側で任意に選択して決めることができる。
【発明を実施するための最良の形態】
【００１９】
以下、本発明を具体化した各実施形態を、図面に基づいて説明する。
（第１実施形態）
第１実施形態に係る移動体の表示モジュールを図１〜図７に基づいて説明する。この移動体の表示モジュールは、移動体としての自動車等の車両のインストルメントパネルに搭載される。
【００２０】
この移動体の表示モジュール１は、図１に示すように、エレクトロルミネッセンスパネルとして複数（本例では３つ）の有機ＥＬパネル２，３，４と、パネル支持部材としての一つのベースプレート５とを備える。異なる画像を表示する３つの有機ＥＬパネル２，３，４は、横長の一つのベースプレート５にその長手方向に並べて取り付けられている。本例では、有機ＥＬパネル２，３，４をそれぞれ備えた３つのパネルアッセンブリＡ，Ｂ，Ｃが一つのベースプレート５に並べて取り付けられている。
【００２１】
また、移動体の表示モジュール１は、図２に示すように、３つの有機ＥＬパネル２，３，４の各々に個別に設けられた３つの画像制御基板６，７，８と、有機ＥＬパネル２と画像制御基板６、有機ＥＬパネル３と画像制御基板７、および有機ＥＬパネル４と画像制御基板８をそれぞれ電気的に接続する２つの接続ケーブル９，１０とを備える。各接続ケーブル９，１０はフレキシブル配線基板であり、例えばフレキシブル配線基板（ＦＰＣ）で構成されている。接続ケーブル９の両端にはコネクタ９ａ，９ｂが、接続ケーブル１０の両端にはコネクタ１０ａ，１０ｂがそれぞれ形成されている。なお、図２では、有機ＥＬパネル３と画像制御基板７、および有機ＥＬパネル４と画像制御基板８をそれぞれ電気的に接続する２つの接続ケーブル９，１０の図示を省略してある。
【００２２】
本例では、各有機ＥＬパネル２，３，４はそれぞれ同じ大きさのパネルであり、図３および図４に示すように発光素子基板１１と封止基板１２とを備える。発光素子基板１１は、行方向（図３でＸ方向）に延びる複数本の走査線（図示省略）および列方向（図３でＹ方向）に延びる複数本のデータ線（図示省略）と、各走査線と各データ線の交差に対応して二次元に配列された複数の画素（図示省略）を有する。
【００２３】
複数の画素は、例えば、各行において赤用画素，緑用画素及び青用画素の順に配置されている。赤用画素、緑用画素及び青用画素の各画素回路は、発光層から赤色，緑色および青色の光をそれぞれ放射するエレクトロルミネッセンス素子としての有機ＥＬ素子（図示省略）をそれぞれ有している。各画素の有機ＥＬ素子は、陽極、有機発光層および陰極を順に積層した構造を有する。封止基板１２は、各画素の有機ＥＬ素子と陰極を密封するように発光素子基板１１に接着されている。封止基板１２と発光素子基板１１との間には乾燥材（図示省略）が封入されている。封止基板１２には例えばガラス基板が用いられる。また、発光素子基板１１は透明なガラス基板であり、陽極は透明電極である。
【００２４】
また、発光素子基板１１上には、複数の走査線を駆動する走査線駆動回路（図示省略）が設けられている。この走査線駆動回路は、外部から供給される同期信号、クロック信号
に応じたタイミングで、複数の走査線を線順次走査により一つずつ順に選択するようになっている。
【００２５】
さらに、発光素子基板１１上には、複数のデータ線を駆動するデータ線駆動回路（図示省略）が設けられている。このデータ線駆動回路は、選択された１本の走査線に接続された各画素回路に、複数のデータ線をそれぞれ介して各画素の画像データの階調値に応じた電流を一斉に供給するようになっている。この後、各画素の有機ＥＬ素子に各画素の画像データの階調値に応じた駆動電流が流れると、各画素の有機ＥＬ素子がその階調値に応じた輝度で発光する。このデータ線駆動回路は、発光素子基板１１上の複数の配線（データ線、走査線、電源線等）とそれぞれ電気的に接続された複数の配線が形成されたフレキシブル配線基板上に設けたドライバＩＣで構成してもよい。
【００２６】
このように、各有機ＥＬパネル２〜４は、二次元に配置された複数の画素にそれぞれ設けた有機ＥＬ素子が例えば８ビットのデジタル階調データである赤用，緑用及び青用の各画素の画像データに基づき駆動されて発光するようになっている。
【００２７】
そして、各有機ＥＬパネル２，３，４の光出射面（表面）側には、外部入射光がその表面で反射するのを抑制するために円偏光板１３が貼付けられている。この円偏光板１３は、各有機ＥＬパネル２，３，４の表示エリア１４（図４，図６参照）全体を覆うように配置されている。なお、各有機ＥＬパネル２，３，４の表示エリア１４の周囲が非表示エリア１５（図６参照）になっている。
【００２８】
パネルアッセンブリＡ，Ｂ，Ｃは、同じ構成であるので、図３および図４ではパネルアッセンブリＡのみの詳細な構成を示し、パネルアッセンブリＢ，Ｃの詳細な構成については図示を省略してある。
【００２９】
パネルアッセンブリＡは、図３および図４に示すように、有機ＥＬパネル２の他に、封止基板１２の表面に固定されたパネルベースプレート１６と、このパネルベースプレート１６のほぼ中央に固定された取り付けベース１７とを備える。パネルアッセンブリＢ，Ｃは、パネルアッセンブリＡと同様の取り付けベース１８，１９をそれぞれ備える（図２参照）。
【００３０】
上記ベースプレート５は、図５に示す車両２０のインストルメントパネル２１に取り付けられる。このベースプレート５は、３つの有機ＥＬパネル２〜４が固定されるパネル取り付け面が平坦なプレートであり、３つの有機ＥＬパネル２〜４は、各パネルアッセンブリＡ，Ｂ，Ｃの取り付けベース１７，１８，１９を介してベースプレートのパネル取り付け面に２つの止めねじ３０，３０（図２参照）でそれぞれ固定されるようになっている。
【００３１】
このように、本例で用いるベースプレート５はパネル取り付け面が平坦なプレートであるので、各パネルアッセンブリＡ，Ｂ，Ｃの取り付けベース１７，１８，１９の厚さのみを異ならせることで、各有機ＥＬパネル２，３，４のパネル取り付け面からの高さ位置を変えるようになっている。ここでは、真中の（中央の）有機ＥＬパネル２の取り付けベース１７の厚さを左右の有機ＥＬパネル３，４の取り付けベース１８，１９の厚さよりも大きくすることで、各有機ＥＬパネル２，３，４のパネル取り付け面からの高さ位置を変えて隣合うパネルの非表示エリア１５が平面的に重なるような配置を可能にしている。
【００３２】
また、パネルアッセンブリＡは、図３および図４に示すように、左右２つのパネル制御基板２２，２３と、有機ＥＬパネル２の左右両側に２つずつ配置された合計４つのフレキシブル配線基板２４，２５，２６および２７とを備える。
【００３３】
各パネルアッセンブリＡ，Ｂ，Ｃのパネル制御基板２２，２３には、車情報データおよび画像データに基づいてそれぞれ作成された複数の表示用画像データを使って各有機ＥＬパネル２〜４に画像表示をさせるパネル制御回路（図示省略）がそれぞれ設けられている。ここで、「車情報データ」は、移動体が自動車等の車両の場合、車の運転情報を表わす車速、エンジン回転数等のデータである。また、「画像データ」は、車両に搭載されるカーナビゲーション装置、テレビ、ビデオ装置等の他のシステムからの画像データ、ＨＤＤ，ＤＶＤ等の記憶装置からの画像データを含む。
【００３４】
各パネルアッセンブリＡ，Ｂ，Ｃにおいて、パネル制御基板２２のパネル制御回路は、２つのフレキシブル配線基板２４，２５を介して各有機ＥＬパネル２，３，４上の複数の配線等とそれぞれ電気的に接続される。パネル制御基板２３のパネル制御回路は、２つのフレキシブル配線基板２６，２７を介して各有機ＥＬパネル２，３，４上の複数の配線等とそれぞれ電気的に接続される。このような電気的接続を得るために、各パネルアッセンブリＡ，Ｂ，Ｃにおいて、フレキシブル配線基板２４，２５上の複数の配線の入力端側は、パネル制御基板２２に設けられた４箇所のコネクタ２８に接続されている。また、フレキシブル配線基板２４，２５上の複数の配線の出力端側は、発光素子基板１１上の複数の配線等と異方性導電膜（ＡＣＦ）を介して電気的に接続されている（図４参照）。同様に、各パネルアッセンブリＡ，Ｂ，Ｃにおいて、フレキシブル配線基板２６，２７上の複数の配線の入力端側は、パネル制御基板２３に設けられた４箇所のコネクタ２９に接続されている。また、フレキシブル配線基板２６，２７上の複数の配線の出力端側は、発光素子基板１１上の複数の配線等と異方性導電膜を介して電気的に接続されている（図４参照）。
【００３５】
また、図２に示す各画像制御基板６，７，８には、図示を省略したＣＰＵ、電源回路、入力される車情報データおよび画像データに基づいて複数の表示用画像データをそれぞれ作成し各パネルアッセンブリＡ，Ｂ，Ｃのパネル制御回路へ出力する画像処理回路等が設けられている。各パネルアッセンブリＡ，Ｂ，Ｃにおいて、パネル制御基板２２，２３の各パネル制御回路には、各画像制御基板６，７，８に設けられた電源回路や画像処理回路等から出力されるパネルアッセンブリ制御信号、電源、各種の画像データが図２に示す接続ケーブル９，１０を介してそれぞれ供給される。これらの入力信号に基づき、各パネルアッセンブリＡ，Ｂ，Ｃのパネル制御回路は、各有機ＥＬパネル２，３，４の走査線駆動回路およびデータ線駆動回路にドライバ制御信号を、データ線駆動回路には駆動データを、各画素回路に電源をそれぞれ供給するようになっている。
【００３６】
このような電気的接続を得るために、パネルアッセンブリＡでは、接続ケーブル９，１０の一方のコネクタ９ａ，１０ａはパネル制御基板２２，２３にそれぞれ設けられたコネクタ３１，３２（図４参照）に接続され、その他方のコネクタ９ｂ、１０ｂは画像制御基板６にそれぞれ設けたコネクタ３３，３４に接続される。また、パネルアッセンブリＢでは、接続ケーブル９，１０の一方のコネクタ９ａ，１０ａはパネル制御基板２２，２３のコネクタ３１，３２に接続され、その他方のコネクタ９ｂ、１０ｂは画像制御基板７にそれぞれ設けたコネクタ３５，３６に接続される。また、パネルアッセンブリＣでは、接続ケーブル９，１０の一方のコネクタ９ａ，１０ａはパネル制御基板２２，２３のコネクタ３１，３２に接続され、その他方のコネクタ９ｂ、１０ｂは画像制御基板８にそれぞれ設けたコネクタ３７，３８に接続される。
【００３７】
図５には、移動体の表示モジュール１がインストルメントパネル２１に搭載された車両２０の車室内部を示している。移動体の表示モジュール１は、真中の有機ＥＬパネル２で車速を表示するスピードメータの目盛り、数字および指針を表示し、右側の有機ＥＬパネル３でエンジン回転数を表示するタコメータの目盛り、数字および指針を表示し、左側の有機ＥＬパネル４でカーナビゲーション装置の地図情報等の画像を表示するようになって
いる（図７参照）。また、真中の有機ＥＬパネル２で表示されるスピードメータの上部左右には、方向指示器４０の上下方向への操作により２つの発光ダイオードが点滅する方向指示部４１，４２が設けられている。この方向指示部４１，４２は、ハザードスイッチ（図示省略）の操作により２つの発光ダイオードが同時に点滅する。
【００３８】
このような構成を有する移動体の表示モジュール１の特徴を以下に列挙する。
・図６に示すように、異なる画像を表示する３つの有機ＥＬパネル２，３，４は、横長の一つのベースプレート５にその長手方向に並べて取り付けられている。
【００３９】
・図６に示すように、３つの有機ＥＬパネル２〜４のうち隣合うパネルは、有機ＥＬ素子をそれぞれ有する複数の画素が二次元に配置された表示エリア１４周囲の非表示エリア１５が平面的に重なるように配置されている。
【００４０】
・図６に示すパネル配置例では、真中の有機ＥＬパネル２の左右の非表示エリア１５の右側がその右側にある有機ＥＬパネル３の左側の非表示エリア１５と平面的に重なっているとともに、真中の有機ＥＬパネル２の左側の非表示エリア１５が左側にある有機ＥＬパネル４の右側の非表示エリア１５と平面的に重なっている。
【００４１】
・図６に示すように、３つの有機ＥＬパネル２〜４のうち真中の有機ＥＬパネル２を左右の有機ＥＬパネル３，４よりも上方へずらして配置されている。本例で用いる３つの有機ＥＬパネル２〜４は、同じ大きさのパネルであり、図３に示すように縦と横の比が例えば６：５である縦長のパネルである。図６に示すパネル配置例では、３つの有機ＥＬパネル２〜４のうち真中の有機ＥＬパネル２は縦向きに、左右の有機ＥＬパネル３，４は横向きに配置してある。
【００４２】
図６に示すような配置で３つの有機ＥＬパネル２〜４をベースプレート５上に固定するために、図２に示すように、ベースプレート５の中央には、縦向きに配置する真中の有機ＥＬパネル２に接続される接続ケーブル９，１０をそれぞれ通すための横長のケーブル挿通孔５０，５１が設けられている。また、ベースプレート５の左右には、横向きに配置する左右の有機ＥＬパネル３，４にそれぞれ接続される接続ケーブル９，１０をそれぞれ通すための縦長のケーブル挿通孔５２，５３およびケーブル挿通孔５４，５５が設けられている。
【００４３】
このベースプレート５は、３つの有機ＥＬパネル２〜４が固定されるパネル取り付け面が平坦なプレートであり、３つの有機ＥＬパネル２〜４は、各パネルアッセンブリＡ，Ｂ，Ｃの取り付けベース１７，１８，１９を介してベースプレート５のパネル取り付け面にそれぞれ２つの止めねじ３０，３０（図２参照）で固定されるようになっている。
【００４４】
次に、上記構成を有する第１実施形態に係る移動体の表示モジュール１の組み立て手順を、図２に基づいて説明する。
まず、有機ＥＬパネル２をベースプレート５に取り付ける際には、ベースプレート５の中央に設けられた２つの貫通孔６１に２つの止めねじ３０をそれぞれ通し、有機ＥＬパネル２の取り付けベース１７に設けられた２つのねじ孔１７ａ（図４参照）に螺合して締結する。このとき、有機ＥＬパネル２に一方のコネクタ９ａ，１０ａを接続した接続ケーブル９，１０をベースプレート５の横長のケーブル挿通孔５０，５１にそれぞれ通しておく。
【００４５】
次に、右側の有機ＥＬパネル３をベースプレート５に取り付ける際には、ベースプレート５の右側に設けられた２つの貫通孔６２に２つの止めねじ３０をそれぞれ通し、有機ＥＬパネル３の取り付けベース１８に設けられた２つのねじ孔（ねじ孔１７ａと同様のねじ
孔）に螺合して締結する。このときも、有機ＥＬパネル３に一方のコネクタ９ａ，１０ａを接続した接続ケーブル９，１０をベースプレート５の縦長のケーブル挿通孔５２，５３にそれぞれ通しておく。
【００４６】
次に、左側の有機ＥＬパネル４をベースプレート５に取り付ける際には、ベースプレート５の左側に設けられた２つの貫通孔６３に２つの止めねじ３０をそれぞれ通し、有機ＥＬパネル４の取り付けベース１９に設けられた２つのねじ孔（ねじ孔１７ａと同様のねじ孔）に螺合して締結する。このときも、有機ＥＬパネル４に一方のコネクタ９ａ，１０ａを接続した接続ケーブル９，１０をベースプレート５の縦長のケーブル挿通孔５４，５５にそれぞれ通しておく。
【００４７】
次に、有機ＥＬパネル２に一方のコネクタ９ａ，１０ａを接続した接続ケーブル９，１０の他方のコネクタ９ｂ、１０ｂを画像制御基板６のコネクタ３３，３４に接続する。この後、画像制御基板６をベースプレート５に取り付ける際には、画像制御基板６の４隅に設けられた４つの貫通孔１６４に４つの止めねじ６５をそれぞれ通して、ベースプレート５の中央に設けられた４つのねじ孔６６に螺合して締結する。
【００４８】
次に、有機ＥＬパネル３に一方のコネクタ９ａ，１０ａを接続した接続ケーブル９，１０の他方のコネクタ９ｂ、１０ｂを画像制御基板７のコネクタ３５，３６に接続する。この後、画像制御基板７をベースプレート５に取り付ける際には、画像制御基板７の４隅に設けられた４つの貫通孔６７に４つの止めねじ６８をそれぞれ通して、ベースプレート５の右側に設けられた４つのねじ孔６９に螺合して締結する。
【００４９】
次に、有機ＥＬパネル４に一方のコネクタ９ａ，１０ａを接続した接続ケーブル９，１０の他方のコネクタ９ｂ、１０ｂを画像制御基板８のコネクタ３７，３８に接続する。この後、画像制御基板８をベースプレート５に取り付ける際には、画像制御基板８の４隅に設けられた４つの貫通孔７０に４つの止めねじ７１をそれぞれ通して、ベースプレート５の左側に設けられた４つのねじ孔７２に螺合して締結する。
【００５０】
なお、止めねじ６５，７１，６８で画像制御基板６，７，８を固定する際には、ベースプレート５と画像制御基板６，７，８上の電子部品とが干渉しないように、図示しないスペーサを配置してある。
【００５１】
このような手順で組み立てられた移動体の表示モジュール１のベースプレート５を図５に示す車両２０のインストルメントパネル２１に取り付ける。こうしてインストルメントパネル２１に取り付けられた移動体の表示モジュール１の表面に図７の二点鎖線で示す樹脂製のパネルカバー８０を取り付けた状態を、図５および図７で示してある。このパネルカバー８０には、真中の有機ＥＬパネル２の表示エリア１４で表示されるスピードメータ用の円形開口部８１と、右側の有機ＥＬパネル３の表示エリア１４で表示されるタコメータ用の円形開口部８２と、左側の有機ＥＬパネル４で表示される画像用の矩形開口部８３とが設けられている。
【００５２】
このようにして車両２０のインストルメントパネル２１に搭載された移動体の表示モジュール１では、例えば図７に示すように、真中の有機ＥＬパネル２により、車速をアナログ表示するスピードメータの目盛り９１、数字９２および指針９３を表示する。また、右側の有機ＥＬパネル３によりエンジン回転数をアナログ表示するタコメータの目盛り９４、数字９５および指針９６を表示し、左側の有機ＥＬパネル４でカーナビゲーション装置の地図情報等の画像９７を表示する。この有機ＥＬパネル４では、テレビの画像やＤＶＤ装置の画像も表示できる。
【００５３】
以上のように構成された第１実施形態によれば、以下の作用効果を奏する。
○３つの有機ＥＬパネル２，３，４により異なる表示態様の画像を同時に表示することができる。つまり、真中の有機ＥＬパネル２によりスピードメータの目盛り９１、数字９２および指針９３を表示し、右側の有機ＥＬパネル３によりタコメータの目盛り９４、数字９５および指針９６を表示し、左側の有機ＥＬパネル４でカーナビゲーション装置の地図情報等の画像９７を表示することができる。
【００５４】
○ベースプレート５に並べて取り付けた３つの有機ＥＬパネル２，３，４により異なる画像を表示することで、表示エリア１４に対する未使用エリアの割合が少なくなるので、各有機ＥＬパネル２，３，４の無駄な消費電力が小さくなるとともに、データ転送速度が速くなる。また、有効利用画素数の割合が大きくなる。
【００５５】
○各有機ＥＬパネル２，３，４の歩留まりが向上する。
○有機ＥＬパネル２，３，４であるため、コントラストが高く、視認性の良い表示が可能となる。
【００５６】
したがって、消費電力の削減、データ転送速度の向上、歩留まりの向上を図りつつ、異なる画像を表示可能が移動体の表示モジュールを実現することができる。
○３つの有機ＥＬパネル２〜４のうち隣合うパネルは、表示エリア１４の周囲の非表示エリア１５が平面的に重なるように配置されているので、隣合うパネルの表示エリア（アクティブエリア）を近づけることができる。これにより、３つの有機ＥＬパネル２〜４をドライバが見る場合の視認性が向上する。特に、移動体として自動車等の車両２０のインストルメントパネル２１に実装し、隣合うパネルの表示エリアでスピードメータとタコメータをそれぞれ表示する場合、スピードメータの表示領域とタコメータの表示領域を視認性を考慮して最適な間隔に配置することができる。
【００５７】
○隣合うパネルの表示エリアを近づけることができるので、移動体の表示モジュール１全体のサイズ、特に３つの有機ＥＬパネル２〜４の並び方向のサイズが小さくなるので、車両毎に大きさの異なるインストルメントパネル等の狭い取り付けスペースへの取り付けが可能になる。
【００５８】
○３つの有機ＥＬパネル２〜４のうち真中の有機ＥＬパネル２を左右の有機ＥＬパネル３，４よりも上方へずらして配置されているので、真中の有機ＥＬパネルにより、重要な画像、例えば、自動車等の車両でスピードメータを表示させる場合、スピードメータの視認性が向上する。
【００５９】
○ベースプレート５は車両２０のインストルメントパネル２１に取り付けられるプレートであるので、３つの有機ＥＬパネル２〜４が固定されたベースプレート５を車両２０のインストルメントパネル２１に取り付けることで、車両２０への表示モジュール１の実装が容易になる。
【００６０】
○ベースプレート５は３つの有機ＥＬパネル２〜４が固定されるパネル取り付け面が平坦なプレートであり、３つの有機ＥＬパネル２〜４は、各パネルアッセンブリＡ，Ｂ，Ｃの取り付けベース１７，１８，１９を介してベースプレート５のパネル取り付け面にそれぞれ固定されるようになっている。これにより、各有機ＥＬパネル２〜４の取り付けベース１７〜１９の厚さのみを異ならせることで、各有機ＥＬパネルのパネル取り付け面からの高さ位置を変えることができる。
（第２実施形態）
第２実施形態に係る移動体の表示モジュールを図８に基づいて説明する。図８は、この移動体の表示モジュール１のパネル配置を示している。
【００６１】
このような配置を実現するには、図２に示すベースプレート５中央の横長のケーブル挿通孔５０，５１を縦長の孔に変更し、左右の縦長のケーブル挿通孔５２，５３およびケーブル挿通孔５４，５５をそれぞれ横長の孔に変更するだけでよい。その他の構成は、上記第１実施形態と同様である。
【００６２】
以上のように構成された第２実施形態によれば、上記第１実施形態の奏する作用効果に加えて以下の作用効果を奏する。
○真中の有機ＥＬパネル２は横向きに、左右の有機ＥＬパネル３，４は縦向きに配置しているので、表示モジュール１の高さ方向（上下方向）の取り付け寸法が小さくなる。これにより、表示モジュール１を車両２０のインストルメントパネル２１に搭載する場合、高さ方向の寸法に制約のあるインストルメントパネル２１への取り付けが容易になる。
（第３実施形態）
第３実施形態に係る移動体の表示モジュールを図９に基づいて説明する。
【００６３】
上記第１実施形態では、図２に示すように３つの有機ＥＬパネル２，３，４の各々に個別に画像制御基板６，７，８を設けてある。これに対し、第２実施形態に係る移動体の表示モジュール１では、３つの有機ＥＬパネル２，３，４に対して図９に示す一つの画像制御基板１００を用いる。この画像制御基板１００には、図２に示す画像制御基板６のコネクタ３３，３４に対応するコネクタ１３３，１３４と、画像制御基板７のコネクタ３５，３６に対応するコネクタ１３５，１３６と、画像制御基板８のコネクタ３７，３８に対応するコネクタ１３７，１３８とが設けられている。その他の構成は上記第１実施形態と同様である。
【００６４】
以上のように構成された第３実施形態によれば、上記第１実施形態の奏する作用効果に加えて以下の作用効果を奏する。
○３つの有機ＥＬパネル２，３，４に対して一つの画像制御基板１００を用意すればよいので、部品点数が削減されて製造コストが低減される。
【００６５】
○３つの有機ＥＬパネル２，３，４に対して一つの画像制御基板１００を用いる構成により、ベースプレート５の背面側における画像制御基板１００のスペースが小さくなるので、スペースに制約のあるインストルメントパネル２１への表示モジュールの取り付けがさらに容易になる。
（第４実施形態）
第４実施形態に係る移動体の表示モジュール１を図１０〜図１２に基づいて説明する。この表示モジュール１は、上記第１実施形態とは次の点で相違する。
【００６６】
（１）３つのパネルアッセンブリＡ，Ｂ，Ｃの各有機ＥＬパネル２ａ，３ａ，４ａが、上記ベースプレート５に対応するベースプレート１１０に、一部のパネルを上方へずらしたりせずに、同じ位置でかつ同じ向きに配置されている（図１０，図１１参照）。
【００６７】
（２）３つのパネルアッセンブリＡ，Ｂ，Ｃの各有機ＥＬパネル２ａ，３ａ，４ａには、図３および図４に示す上記４つのフレキシブル配線基板２４，２５，２６および２７の代わりに一つのフレキシブル配線基板１１１がそれぞれ設けられている。この場合、上記第１実施形態の各パネルアッセンブリＡ〜Ｃにそれぞれ設けられている左右２つのパネル制御基板２２，２３の一方と、コネクタ３１，３２の一方とが無い構成となる。
【００６８】
（３）上記ベースプレート５に対応するベースプレート１１０は、３つの有機ＥＬパネル２ａ，３ａ，４ａの各裏面側がそれぞれ固定される高さの異なる３つのパネル取り付け面１１０Ａ，１１０Ｂ，１１０Ｃを有するプレートである。真中のパネル取り付け面１１
０Ａの高さ（厚さ）が、左右のパネル取り付け面１１０Ｂ，１１０Ｃよりも高くなっている。
【００６９】
（４）３つのパネルアッセンブリＡ，Ｂ，Ｃの各有機ＥＬパネル２ａ，３ａ，４ａには、上記２つの接続ケーブル９，１０の代わりに一つの接続ケーブル１１２の一端側が接続されている（図１１，図１２参照）。これに伴い、ベースプレート１１０のパネル取り付け面１１０Ａ，１１０Ｂ，１１０Ｃにはそれぞれ、各接続ケーブル１１２を通すための矩形のケーブル挿通孔１１３，１１４，１１５が設けられている。
【００７０】
以上のように構成された第４実施形態によれば、上記第１実施形態の奏する作用効果に加えて以下の作用効果を奏する。
○上記相違点（１）により、３つの有機ＥＬパネル２，３，４により、異なる表示内容を同じ高さ位置に表示することができる。
【００７１】
○上記相違点（２）により、各有機ＥＬパネル２ａ，３ａ，４ａに接続するフレキシブル配線基板１１１が１つで済むので、部品点数および部品の接続工数が減るので、製造コストを低減できる。また、各パネルアッセンブリＡ，Ｂ，Ｃの構成が簡略化されるので、これによっても製造コストを低減できる。
【００７２】
○上記相違点（３）により、３つの有機ＥＬパネル２ａ，３ａ，４ａを隣合うパネルの非表示エリア１５が平面的に重なるような配置が可能となる（図１０参照）。ここでは、ベースプレート１１０の真中のパネル取り付け面１１０Ａの高さを左右のパネル取り付け面１１０Ｂ，１１０Ｃよりも高くすることで、真中の有機ＥＬパネル２の非表示エリア１５と左右の有機ＥＬパネル３，４の非表示エリア１５がそれぞれ平面的に重なるような配置が可能となる。
【００７３】
○上記相違点（４）により、各有機ＥＬパネル２ａ，３ａ，４ａに接続する接続ケーブル１１２が一つで済むので、各有機ＥＬパネル２ａ，３ａ，４ａと各画像制御基板６，７，８（図２参照）とを接続ケーブル１１２でそれぞれ接続する作業が簡単になる。
（第５実施形態）
第５実施形態に係る移動体の表示モジュール１を図１３および図１４に基づいて説明する。この表示モジュール１は、上記第１実施形態とは次の点で相違する。
【００７４】
上記第４実施形態と同じ有機ＥＬパネル２ａ，３ａ，４ａを用いる。また、パネル支持部材として、上記ベースプレート５（図２参照）に代えて、３つの有機ＥＬパネル２ａ，３ａ，４ａの表面側に取り付けられるパネルカバー１２０（図１３参照）を用いる。このパネルカバー１２０は、３つの有機ＥＬパネル２ａ，３ａ，４ａの各表面側がそれぞれ固定される高さの異なる３つのパネル取り付け面１２０Ａ，１２０Ｂ，１２０Ｃを有する。真中のパネル取り付け面１２０Ａは、左右のパネル取り付け面１２０Ｂ，１２０Ｃよりも低い（厚さが薄い）。また、パネルカバー１２０の各パネル取り付け面１２０Ａ，１２０Ｂ，１２０Ｃには、スピードメータ用の円形開口部１２１と、タコメータ用の円形開口部１２２と、画像用の矩形開口部１２３とが設けられている。
【００７５】
以上のように構成された第５実施形態によれば、上記第１実施形態の奏する作用効果に加えて以下の作用効果を奏する。
○３つの有機ＥＬパネル２ａ，３ａ，４ａの各表面側をパネルカバー１２０の高さの異なるパネル取り付け面１２０Ａ，１２０Ｂ，１２０Ｃにそれぞれ固定することで、有機ＥＬパネル２ａ，３ａ，４ａの隣合うパネルの非表示エリアが平面的に重なるような配置が可能となる。ここでは、真中のパネル取り付け面１２０Ａの高さを左右のパネル取り付け面１２０Ｂ，１２０Ｃよりも低くすることで、真中の有機ＥＬパネル２ａの非表示エリア
と左右の有機ＥＬパネル３ａ，４ａの非表示エリアが平面的に重なるような配置が可能となる。
（第６実施形態）
第６実施形態に係る移動体の表示モジュール１を図１５（ａ），（ｂ）、図１６および図１７に基づいて説明する。この表示モジュール１は、上記第１実施形態とは次の点で相違する。
【００７６】
（１）上記３つの有機ＥＬパネル２，３，４に代えて、パネル外形が縦と横の比が例えば５：６で、表示エリア１４の縦と横の比が例えば１：１である３つの有機ＥＬパネル２ｂ，３ｂ，４ｂ（図１５（ａ）参照）を用いる。また、有機ＥＬパネル２ｂ，３ｂ，４ｂは同じ大きさである。このように、各有機ＥＬパネル２ｂ，３ｂ，４ｂでは、パネル外形の縦横比と表示エリアの縦横比とが異なるため、各有機ＥＬパネル２ｂ，３ｂ，４ｂには、幅の広い非表示エリア１５ａと幅の狭い非表示エリア１５ｂとができる。各有機ＥＬパネル２ｂ，３ｂ，４ｂの幅の広い左右の非表示エリア１５ｂの一方には、図１５（ｂ）および図１６に示すように、その幅の広いスペースを利用して電極１３０がそれぞれ設けられている。各有機ＥＬパネル２ｂ，３ｂ，４ｂの電極１３０は、外部回路、例えば上述した画像制御基板６〜８（図２参照）に設けた画像処理回路等の各回路と電気的に接続され、これらの外部回路から各種の信号が入力される。
【００７７】
（２）３つの有機ＥＬパネル２ｂ，３ｂ，４ｂは、図１０および図１１に示す上記第４実施形態のベースプレート１１０と同様のベースプレートに、隣合うパネルの幅の狭い非表示エリア１５ｂ同士が重なるように、同じ位置でかつ同じ向きに配置されている（図１６参照）。これにより、各有機ＥＬパネル２ｂ，３ｂ，４ｂの電極１３０は、図１６に示すように下側に位置することになる。
【００７８】
（３）３つの有機ＥＬパネル２ｂ，３ｂ，４ｂは、上記第１実施形態の各有機ＥＬパネル２，３，４と同様に、発光素子基板１１と封止基板１２とをそれぞれ備える（図１５（ａ）参照）。そして、各有機ＥＬパネル２ｂ，３ｂ，４ｂでは、発光素子基板１１と、これより小さい封止基板１２との間に段差１３２ができている。つまり、各有機ＥＬパネル２ｂ，３ｂ，４ｂでは、その段差１３２により封止基板１２の周囲で非表示エリア１５ａ、１５ｂの下側に隙間ができている。この段差１３２によりできる隙間を利用して、３つの有機ＥＬパネル２ｂ，３ｂ，４ｂは、隣合うパネルの幅の狭い非表示エリア１５ｂ同士が重なるように配置されている（図１７参照）。すなわち、真中の有機ＥＬパネル２ｂの左右の段差１３２によりできる左右の隙間の一方に右側の有機ＥＬパネル３ｂの発光素子基板１１が入り込んで両有機ＥＬパネル３ａ，３ｂの非表示エリア１５ｂ同士が重なっている。また、有機ＥＬパネル２ｂの左右の段差１３２によりできる左右の隙間の他方に左側の有機ＥＬパネル４ｂの発光素子基板１１が入り込んで両有機ＥＬパネル２ｂ、４ｂの非表示エリア１５ｂ同士が重なっている。
【００７９】
以上のように構成された第６実施形態によれば、上記第１実施形態の奏する作用効果に加えて以下の作用効果を奏する。
○上記相違点（１）により、各有機ＥＬパネル２ｂ，３ｂ，４ｂの幅の広い左右の非表示エリア１５ｂの一方に、その幅の広いスペースを利用して電極１３０を設けることができる。
【００８０】
○上記相違点（２）により、各有機ＥＬパネル２ｂ，３ｂ，４ｂの電極１３０は下側に位置するので、各有機ＥＬパネル２ｂ，３ｂ，４ｂの電極１３０に、外部の回路、例えば上述した画像制御基板６〜８に設けた画像処理回路等の各回路からの各種信号を入力する配線や接続ケーブルを接続する作業が容易になる。
【００８１】
○上記相違点（３）により、各有機ＥＬパネル２ｂ，３ｂ，４ｂでは、発光素子基板１１と、これより小さい封止基板１２との間に段差１３２により封止基板１２の周囲で非表示エリア１５ａ、１５ｂの下側に隙間ができている。この隙間を利用して、３つの有機ＥＬパネル２ｂ，３ｂ，４ｂは、隣合うパネルの幅の狭い非表示エリア１５ｂ同士が重なるように配置されている（図１７参照）。本例では、真中の有機ＥＬパネル２ｂの左右の段差１３２によりできる左右の隙間の一方に右側の有機ＥＬパネル３ｂの発光素子基板１１が入り込んで両有機ＥＬパネル３ａ，３ｂの非表示エリア１５ｂ同士が重なっている。また、有機ＥＬパネル２ｂの左右の段差１３２によりできる左右の隙間の他方に左側の有機ＥＬパネル４ｂの発光素子基板１１が入り込んで両有機ＥＬパネル２ｂ、４ｂの非表示エリア１５ｂ同士が重なっている。これにより、３つの有機ＥＬパネル２ｂ，３ｂ，４ｂ全体の厚さを薄くすることができる。
【００８２】
なお、この発明は以下のように変更して具体化することもできる。
・上記各実施形態では、移動体の表示モジュール１における有機ＥＬパネルの数を「３」としているが、その数は一例であって、本発明は「３」以外の複数の有機ＥＬパネルを用いた移動体の表示モジュールに適用可能である。
【００８３】
・上記各実施形態では、同じ大きさの３つの有機ＥＬパネルを用いているが、大きさの異なる複数の有機ＥＬパネルを用いた移動体の表示モジュールにも本発明は適用可能である。例えば、自動車等の車両に実装し、３つの有機ＥＬパネルのうち真中のパネルでスピードメータを表示する場合には、スピードメータの視認性を向上させるために、真中のパネルを大きくして上に位置させ、左右のパネルを小さくして真中のパネルよりも下げるのが好ましい。
【００８４】
・上記各実施形態では、３つの有機ＥＬパネルのうち隣合うパネルは、表示エリア１４の周囲の非表示エリア１５が平面的に重なるように配置されているが、複数の有機ＥＬパネルを、のいずれのパネルも重ならないように配置する構成にも本発明は適用可能である。
【００８５】
・上記各実施形態では、複数の有機ＥＬパネルを取り付けるパネル支持部材としてのベースプレートやパネルカバーには、後から追加して１或いは複数の有機ＥＬパネルを取り付けるための予備のスペースは設けていない。このような予備のスペースをベースプレートやパネルカバーに予め設けた構成にも本発明は適用可能である。このような構成を採用することにより、自動車等の車両のインストルメントパネルに実装する場合、インストルメントパネルのデザイン変更、表示機能の追加等をユーザ側で任意に選択して決めることができる。
【００８６】
・上記各実施形態では、エレクトロルミネッセンス素子として有機ＥＬ素子を用いた有機ＥＬパネルを用いているが、エレクトロルミネッセンス素子として無機ＥＬ素子を用いた無機ＥＬパネルを用いた構成にも本発明は適用可能である。
【００８７】
・上記各実施形態では、３つの有機ＥＬパネルの一つで、カーナビゲーション装置の地図情報等の画像を表示するようにしていが、その有機ＥＬパネルで車両のバックモニタの映像を表示させるようにしてもよい。要するに、複数の有機ＥＬパネルでそれぞれ表示する表示態様を任意に選択することが可能である。
【図面の簡単な説明】
【００８８】
【図１】第１実施形態に係る移動体の表示モジュールを示す斜視図。
【図２】同表示モジュールの分解斜視図。
【図３】同表示モジュールで用いる複数の有機ＥＬパネルの一つを示す斜視図。
【図４】同有機ＥＬパネルの裏面側を示す斜視図。
【図５】同表示モジュールが搭載された車両の車室内部を示す斜視図。
【図６】同表示モジュールのパネル配置を示す平面図。
【図７】同表示モジュールの表示状態を示す平面図。
【図８】第２実施形態に係る移動体の表示モジュールのパネル配置を示す平面図。
【図９】第３実施形態に係る移動体の表示モジュールの画像制御基板を示す斜視図。
【図１０】第４実施形態のパネル配置を示す平面図。
【図１１】第４実施形態に係る移動体の表示モジュールを示す斜視図。
【図１２】同表示モジュールの分解斜視図。
【図１３】第５実施形態で用いるパネルカバーを示す斜視図
【図１４】第５実施形態に係る移動体の表示モジュールを示す斜視図
【図１５】（ａ）第６実施形態で用いる有機ＥＬパネルを示す平面図、（ｂ）同有機ＥＬパネルの側面図。
【図１６】第６実施形態のパネル配置を示す平面図。
【図１７】第６実施形態のパネル配置を示す側面図。
【図１８】従来の車両用情報表示装置による実際の表示の様子を示す説明図。
【図１９】同表示装置において実際の表示に使用している表示部を示す説明図。
【符号の説明】
【００８９】
１…表示モジュール、５，１１０…ベースプレート、１１…発光素子基板、１２…封止基板、１４…表示エリア、１５，１５ａ，１５ｂ…非表示エリア、１７，１８，１９…取り付けベース、２１…インストルメントパネル、８０，１２０…パネルカバー、９７…画像、１１０Ａ，１１０Ｂ，１１０Ｃ，１２０Ａ，１２０Ｂ，１２０Ｃ…パネル取り付け面、１３０…電極、１３２…段差。
【図１】
2006224697.tif 000003
【図２】
2006224697.tif 000004
【図３】
2006224697.tif 000005
【図４】
2006224697.tif 000006
【図５】
2006224697.tif 000007
【図６】
2006224697.tif 000008
【図７】
2006224697.tif 000009
【図８】
2006224697.tif 000010
【図９】
2006224697.tif 000011
【図１０】
2006224697.tif 000012
【図１１】
2006224697.tif 000013
【図１２】
2006224697.tif 000014
【図１３】
2006224697.tif 000015
【図１４】
2006224697.tif 000016
【図１５】
2006224697.tif 000017
【図１６】
2006224697.tif 000018
【図１７】
2006224697.tif 000019
【図１８】
2006224697.tif 000020
【図１９】
2006224697.tif 000021